(57)【要約】【課題】正面から空気を吹き出す空調ユニットおよび空気調和装置の室外ユニットにおいて、熱交換器を通り抜ける空気の風速を均一な状態に近づけることが可能な空調ユニット、および空気調和装置の室外ユニットを提供する。【解決手段】室外ユニット１は、ユニットケーシング２と、ファン１１ａ、１１ｂと、熱交換器３０と、を備えている。ユニットケーシング２は、左前板２２ａと上部左前板２２ｂと右前板２２ｃとから成る正面を有している。ファン１１ａ、１１ｂは、上記正面へと向かう空気流れを生成する。熱交換器３０は、第１熱交換部３１と、第２熱交換部３２と、を有している。第１熱交換部３１はファン１１ａ、１１ｂに近い位置に配置され、第２熱交換部３２は第１熱交換部３１の上方においてファン１１ａ、１１ｂから離れた位置に配置され、第１熱交換部３１よりも通風抵抗が小さくなるように形成されている。【選択図】図５
2008138939.tif 000002
【特許請求の範囲】
【請求項１】
少なくとも、正面部（２２ａ、２２ｂ、２２ｃ）を有するケーシング（２）と、
前記正面部（２２ａ、２２ｂ、２２ｃ）に向かう空気流れを生成する送風ファン（１１ａ、１１ｂ）と、
前記送風ファン（１１ａ、１１ｂ）に近い位置に配置された第１熱交換部（３１）と、前記第１熱交換部（３１）の上方において前記送風ファン（１１ａ、１１ｂ）から離れた位置に配置された第２熱交換部（３２）と、を有する熱交換器（３０）と、
を備え、
前記第２熱交換部（３２）は、前記第１熱交換部（３１）よりも通風抵抗が小さくなるように形成されている、
空調ユニット（１）。
【請求項２】
前記第２熱交換部（３２）は、前記第１熱交換部（３１）に継ぎ足されている、
請求項１に記載の空調ユニット（１）。
【請求項３】
前記第１熱交換部（３１）および前記第２熱交換部（３２）は、略鉛直方向（Ｌ１）に並んで延びる複数の伝熱フィン（３１ｂ、３２ｂ）によって形成される伝熱フィン群（３１ａ、３２ａ）と、前記伝熱フィン群（３１ａ、３２ａ）を貫通して前記伝熱フィン群（３１ａ、３２ａ）と交差する方向（Ｌ２）へ並んで延びる複数の伝熱管（３１ｄ、３２ｄ）によって形成される伝熱管列（３１ｃ、３２ｃ）と、をそれぞれ有しており、
前記第２熱交換部（３２）が有する前記伝熱フィン群（３２ａ）は、前記第１熱交換部（３１）が有する前記伝熱フィン群（３１ａ）よりも前記伝熱フィン（３１ｂ、３２ｂ）間のピッチ（ＦＰ1、ＦＰ２）が大きくなるように配置されている、
請求項１または２に記載の空調ユニット（１）。
【請求項４】
前記第１熱交換部（３１）および前記第２熱交換部（３２）は、略鉛直方向（Ｌ１）に並んで延びる複数の伝熱フィン（３１ｂ、３２ｂ）によって形成される伝熱フィン群（３１ａ、３２ａ）と、前記伝熱フィン群（３１ａ、３２ａ）を貫通して前記伝熱フィン群（３１ａ、３２ａ）と交差する方向（Ｌ２）へ並んで延びる複数の伝熱管（３１ｄ、３２ｄ）によって形成される伝熱管列（３１ｃ、３２ｃ）と、をそれぞれ有しており、
前記第２熱交換部（３２）が有する前記伝熱管列（３２ｃ）は、前記第１熱交換部（３１）が有する前記伝熱管列（３１ｃ）よりも前記伝熱管（３１ｄ、３２ｄ）間のピッチ（ＰＰ1、ＰＰ２）が大きくなるように配置されている、
請求項１または２に記載の空調ユニット（１）。
【請求項５】
前記第１熱交換部（３１）および前記第２熱交換部（３２）は、略鉛直方向（Ｌ１）に並んで延びる複数の伝熱フィン（３１ｂ、３２ｂ）によって形成される伝熱フィン群（３１ａ、３２ａ）と、前記伝熱フィン群（３１ａ、３２ａ）を貫通して前記伝熱フィン群（３１ａ、３２ａ）と交差する方向（Ｌ２）へ並んで延びる複数の伝熱管（３１ｄ、３２ｄ）によって形成される伝熱管列（３１ｃ、３２ｃ）と、をそれぞれ有しており、
前記第２熱交換部（３２）が有する前記伝熱管列（３２ｃ）は、前記第１熱交換部（３１）が有する前記伝熱管列（３１ｃ）よりも前記伝熱管（３１ｄ、３２ｄ）の管径（Ｒ１、Ｒ２）が小さくなっている、
請求項１または２に記載の空調ユニット（１）。
【請求項６】
前記第１熱交換部（３１）および前記第２熱交換部（３２）は、略鉛直方向（Ｌ１）に並んで延びる複数の伝熱フィン（３１ｂ、３２ｂ）によって形成される伝熱フィン群（３１ａ、３２ａ）と、前記伝熱フィン群（３１ａ、３２ａ）を貫通して前記伝熱フィン群（３１ａ、３２ａ）と交差する方向（Ｌ２）へ並んで延びる複数の伝熱管（３１ｄ、３２ｄ）によって形成される伝熱管列（３１ｃ、３２ｃ）と、をそれぞれ有しており、
前記第２熱交換部（３２）が有する前記伝熱フィン群（３２ａ）は、前記第１熱交換部（３１）が有する前記伝熱フィン群（３１ａ）よりも前記伝熱フィン（３１ｂ、３２ｂ）の前記空気流れに沿う方向（Ｌ３）の面（３１ｆ、３２ｆ）が平坦に形成されている、
請求項１または２に記載の空調ユニット。
【請求項７】
前記空調ユニットは、空気調和装置の室外ユニット（１）である、
請求項１から６のいずれか１項に記載の空調ユニット（１）。
【発明の詳細な説明】
【技術分野】
【０００１】
本発明は、空調ユニットに関するもので、特に、空気を正面側から吹き出す正面吹き出しの空調ユニット、および空気調和装置の室外ユニットに関する。
【背景技術】
【０００２】
一般に、空調ユニットでは、外気（空気）をファン等によって内部に導入して、導入した空気が熱交換器を通り抜ける際に、空気と熱交換器内を流れる冷媒との間で熱交換を行なわせる。
【０００３】
例えば、特許文献１では、熱交換器を通り抜ける空気の風速分布が不均一となる場合においても熱交換の効率を維持することが可能な空調ユニットが開示されている。
【特許文献１】特開２００６−２９７３４号公報（平成１８年２月２日公開）
【発明の開示】
【発明が解決しようとする課題】
【０００４】
しかしながら、上記従来の空調ユニットでは、熱交換器を通り抜ける不均一な空気の風速分布については何らの検討もなされていない。
【０００５】
このため、熱交換器を通り抜ける空気の風速分布の不均一さを改善することができないという問題があった。
【０００６】
本発明の課題は、正面から空気を吹き出す空調ユニット、および空気調和装置の室外ユニットにおいて、熱交換器を通り抜ける空気の風速を均一な状態に近づけることが可能な空調ユニット、および空気調和装置の室外ユニットを提供することにある。
【課題を解決するための手段】
【０００７】
第１の発明に係る空調ユニットは、ケーシングと、送風ファンと、熱交換器と、を備えている。ケーシングは、少なくとも、正面部を有している。送風ファンは、正面部に向かう空気流れを生成する。熱交換器は、第１熱交換部と、第２熱交換部と、を有している。第１熱交換部は、送風ファンに近い位置に配置されている。第２熱交換部は、第１熱交換部の上方において送風ファンから離れた位置に配置されている。第２熱交換部は、第１熱交換部よりも通風抵抗が小さくなるように形成されている。なお、空調ユニットには、空気調和装置の室外ユニットや室内ユニットが含まれる。
【０００８】
通常、空調ユニットでは、ファンから離れた位置の熱交換部を通り抜ける空気の風速は、ファンに近い位置の熱交換部を通り抜ける空気の風速よりも遅くなる。そのため、熱交換部を通り抜ける空気の風速分布が不均一な状態が発生する。そして、このような風速分布の不均一な状態は、熱交換器における熱交換の効率を低下させるおそれがある。
【０００９】
これに対して、第１の発明に係る空調ユニットでは、第２熱交換部の方が第１熱交換部よりも通風抵抗が小さくなるように形成されている。
【００１０】
これにより、熱交換器を通りぬける空気の風速分布を均一な状態に近づけることが可能になる。
【００１１】
この結果、熱交換の効率を従来よりも向上させることができる。
【００１２】
第２の発明に係る空調ユニットは、第１の発明に係る空調ユニットであって、第２熱交換部は、第１熱交換部に継ぎ足されている。
【００１３】
現在、新たな熱交換部を既存の熱交換部に継ぎ足して、空調ユニットにおける熱交換の能力を向上させる方策が検討されている。
【００１４】
しかし、上記のように、新たな熱交換部を継ぎ足す場合には、新たな熱交換部の位置がファンから離れた位置となる。このため、新たな熱交換部を通り抜ける空気の風速が低下するという問題がある。
【００１５】
これに対して、第２の発明に係る空調ユニットでは、第２熱交換部の方が第１熱交換部よりも通風抵抗が小さくなるように形成されている。
【００１６】
これにより、熱交換器を通りぬける空気の風速分布を均一な状態に近づけることが可能になる。
【００１７】
第３の発明に係る空調ユニットは、第１または第２の発明に係る空調ユニットであって、第１熱交換部および第２熱交換部は、伝熱フィン群と、伝熱管列と、をそれぞれ有している。伝熱フィン群は、略鉛直方向に並んで延びる複数の伝熱フィンによって形成されている。伝熱管列は、伝熱フィン群を貫通して伝熱フィン群と交差する方向へ並んで延びる複数の伝熱管によって形成されている。第２熱交換部が有する伝熱フィン群は、第１熱交換部が有する伝熱フィン群よりも伝熱フィン間のピッチが大きくなるように配置されている。
【００１８】
ここでは、伝熱フィン間のピッチは、第１熱交換部よりも第２熱交換部の方が大きくなるように配置されている。
【００１９】
これにより、第２熱交換部における通風抵抗を第１熱交換部よりも小さくして、熱交換器を通りぬける空気の風速を均一な状態に近づけることが可能になる。
【００２０】
第４の発明に係る空調ユニットは、第１または第２の発明に係る空調ユニットであって、第１熱交換部および第２熱交換部は、伝熱フィン群と、伝熱管列と、をそれぞれ有している。伝熱フィン群は、略鉛直方向に並んで延びる複数の伝熱フィンによって形成されている。伝熱管列は、伝熱フィン群を貫通して伝熱フィン群と交差する方向へ並んで延びる複数の伝熱管によって形成されている。第２熱交換部が有する伝熱管列は、第１熱交換部が有する伝熱管列よりも伝熱管間のピッチが大きくなるように配置されている。
【００２１】
ここでは、伝熱管間のピッチは、第１熱交換部よりも第２熱交換部の方が大きくなるように配置されている。
【００２２】
これにより、第２熱交換部における伝熱管間のピッチ間隔を第１熱交換部よりも大きくすることで、第２熱交換部の通風抵抗を第１熱交換部よりも小さくすることが可能になる。
【００２３】
第５の発明に係る空調ユニットは、第１または第２の発明に係る空調ユニットであって、第１熱交換部および第２熱交換部は、伝熱フィン群と、伝熱管列と、をそれぞれ有している。伝熱フィン群は、略鉛直方向に並んで延びる複数の伝熱フィンによって形成されている。伝熱管列は、伝熱フィン群を貫通して伝熱フィン群と交差する方向へ並んで延びる複数の伝熱管によって形成されている。第２熱交換部が有する伝熱管列は、第１熱交換部が有する伝熱管列よりも伝熱管の管径が小さくなっている。
【００２４】
ここでは、伝熱管の管径は、第１熱交換部よりも第２熱交換部の方が小さくなっている。
【００２５】
これにより、第２熱交換部における通風抵抗を第１熱交換部よりも小さくすることが可能になる。
【００２６】
第６の発明に係る空調ユニットは、第１または第２の発明に係る空調ユニットであって、第１熱交換部および第２熱交換部は、伝熱フィン群と、伝熱管列と、をそれぞれ有している。伝熱フィン群は、略鉛直方向に並んで延びる複数の伝熱フィンによって形成されている。伝熱管列は、伝熱フィン群を貫通して伝熱フィン群と交差する方向へ並んで延びる複数の伝熱管によって形成されている。第２熱交換部が有する伝熱フィン群は、第１熱交換部が有する伝熱フィン群よりも伝熱フィンの空気流れに沿う方向の面が平坦に形成されている。
【００２７】
ここでは、伝熱フィンの空気流れに沿う方向の面は、第１熱交換部よりも第２熱交換部の方が平坦に形成されている。
【００２８】
これにより、第２熱交換部における通風抵抗を第１熱交換部よりも小さくすることが可能になる。
【００２９】
第７の発明に係る空調ユニットは、第１から第６の発明のいずれか１つに係る空調ユニットであって、空気調和装置の室外ユニットである。
【００３０】
これにより、空気調和装置の室外ユニット（以下、室外ユニットと表記）において、上記発明にかかる空調ユニットと同様の効果を得ることができる。
【００３１】
このため、熱交換器を通りぬける空気の風速を均一な状態に近づけることが可能になる。
【００３２】
この結果、室外ユニットにおける熱交換の効率を従来よりも向上させることができる。
【発明の効果】
【００３３】
第１の発明に係る空調ユニットによれば、熱交換の効率を従来よりも向上させることができる。
【００３４】
第２の発明に係る空調ユニットによれば、熱交換器を通りぬける空気の風速分布を均一な状態に近づけることが可能になる。
【００３５】
第３の発明に係る空調ユニットによれば、第２熱交換部における通風抵抗を第１熱交換部よりも小さくして、熱交換器を通りぬける空気の風速を均一な状態に近づけることが可能になる。
【００３６】
第４の発明に係る空調ユニットによれば、第２熱交換部における伝熱管間のピッチ間隔を第１熱交換部よりも大きくすることで、第２熱交換部の通風抵抗を第１熱交換部よりも小さくすることが可能になる。
【００３７】
第５の発明に係る空調ユニットによれば、第２熱交換部における通風抵抗を第１熱交換部よりも小さくすることが可能になる。
【００３８】
第６の発明に係る空調ユニットによれば、第２熱交換部における通風抵抗を第１熱交換部よりも小さくすることが可能になる。
【００３９】
第７の発明に係る空調ユニットによれば、室外ユニットにおける熱交換の効率を従来よりも向上させることができる。
【発明を実施するための最良の形態】
【００４０】
本発明の一実施形態に係る空気調和装置の室外ユニット１について、図１〜図７を用いて説明すれば以下の通りである。
【００４１】
＜室外ユニット１全体の構成＞
室外ユニット１は、室外に設置されており、図１〜図４に示すように、いわゆるトランク型の室外機である。
【００４２】
室外ユニット１は、図３に示すように、主として、ユニットケーシング２と、冷媒回路構成部品３と、ファン１１ａ、１１ｂと、電装品ユニット４５と、を備えている。そして、室外ユニット１は、室外ユニット１の背面および左側面から外気（空気）を内部へと吸い込んで、吸い込んだ空気と冷媒との間で熱交換を行なわせる。さらに、室外ユニット１は、熱交換を行なった空気を正面から排気する。
【００４３】
＜ユニットケーシング２＞
ユニットケーシング２は、図１および図２に示すように、略直方体状に形成されている。また、ユニットケーシング２は、図３または図４に示すように、主として、冷媒回路構成部品３と、ファン１１ａ、１１ｂと、電装品ユニット４５と、を格納する。そして、ユニットケーシング２は、底板２１と、左前板（正面部）２２ａと、上部左前板（正面部）２２ｂと、右前板（正面部）２２ｃと、右側板２３ａと、上部右側板２３ｂと、天板２８と、を有している。
【００４４】
ユニットケーシング２の正面は、図１および図３に示すように、左前板２２ａおよび上部左前板２２ｂによって正面視の左側側端から中央部やや右寄りの部分までが形成されている。また、右前板２２ｃによって上記中央部やや右寄りの部分から右側端までが形成されている。
【００４５】
左前板２２ａは、平面視において略Ｌ字状に形成されており、室外ユニット１の左側面から正面にかけて配置されている。なお、室外ユニット１の正面側の左前板２２ａには、吹き出し口２９ａ、２９ｂと、ベルマウス２７ａ、２７ｂとが設けられている。
【００４６】
吹き出し口２９ａ、２９ｂは、室外ユニット１の正面視において、図４等に示すように、円状に形成されており、上下方向に並んで配置されている。そして、吹き出し口２９ａ、２９ｂは、ファン１１ａ、１１ｂ（後段にて詳述）によってユニットケーシング２の背面（後段にて詳述）側および左側面（後段にて詳述）側から内部に取り込まれた空気を外部に排気するための開口部である。
【００４７】
ベルマウス２７ａ、２７ｂは、図４および図５に示すように、それぞれ、吹き出し口２９ａ、２９ｂの周縁から背面側へと延びるとともに、正面視における内径が変化する形状をしており、側面視あるいは平面視における断面形状が弧状に形成されている。また、ベルマウス２７ａ、２７ｂは、背面側の先端が空気流入端となっており、空気を正面側の吹き出し口２９ａ、２９ｂへと案内する。なお、ベルマウス２７ａ、２７ｂは、ほぼ同じ形状に形成されている。
【００４８】
上部左前板２２ｂは、平面視において略Ｌ字状に形成されて上下方向に延びる金属パネルであり、左前板２２ａの直上方に配置されている。
【００４９】
右前板２２ｃは、室外ユニット１の正面視における右側に配置されており、平面視において略Ｌ字状に形成されている。また、右前板２２ｃは、室外ユニット１の正面視における右側端で折り曲げられて背面側へと延びており、後段にて詳述するユニットケーシング２の右側面の正面側を形成している。
【００５０】
ユニットケーシング２の左側面は、図１および図３に示すように、正面視において、左前板２２ａおよび上部左前板２２ｂが室外ユニット１の左側端で折り曲げられ、後方へと延びて形成されている。なお、ユニットケーシング２の左側面には、前後方向（正面側から背面側へ向かう方向）に長い長方形状の空気吸い込み口２４ａが上下方向に並んで設けられている。
【００５１】
ユニットケーシング２の右側面は、図２および図３に示すように、正面視における室外ユニット１の右側端から背面側へと延びる右前板２２ｃによって正面側が形成されており、さらに、右側板２３ａおよび上部右側板２３ｂによって、背面側が形成されている。
【００５２】
ユニットケーシング２の背面は、図２に示すように、右側板２３ａおよび上部右側板２３ｂによって右側部分の一部が形成されている。そして、ユニットケーシング２の左側面の背面側の側端と、右側板２３ａおよび上部右側板２３ｂの背面側の側端との間には、開口スペースが形成されている。
【００５３】
なお、熱交換器３０（後段にて詳述）は、上記開口スペースに背面側が露出するように配置されている。
【００５４】
仕切り板２５は、図３に示すように、平面視において弧状に形成されており、上下方向に延びる金属製の仕切り部材である。そして、仕切り板２５は、図４に示すように、ユニットケーシング２の内部空間を左側の送風機室ＳＰ１と右側の機械室ＳＰ２とに区画するように配置されている。
【００５５】
管板２６は、熱交換器３０の背面側の端面に対応するように設けられた金属製の板状部材である。
【００５６】
ファンモータ台１２は、図３に示すように、熱交換器３０の正面側の送風機室ＳＰ１（図４参照）に配置されており、底板２１から天板２８まで上下方向に延びている。ファンモータ台１２は、ファン１１ａ、１１ｂ等を支持する支持部材である。
【００５７】
＜ファン１１ａ、１１ｂ＞
ファン１１ａ、１１ｂは、図３に示すように、複数の翼を有するプロペラファンであり、送風機室ＳＰ１（図４参照）において、熱交換器３０の正面側のファンモータ台１２に吹き出し口２９ａ、２９ｂと面するように上下方向に並んで２基取り付けられている。このファン１１ａ、１１ｂを回転駆動すると、室外ユニット１の内部が負圧状態となって、室外ユニット１の背面側に形成された上記開口スペースあるいは空気吸い込み口２４ａからユニットケーシング２の正面へと向かう空気の流れが生成される。そして、上記空気の流れによって、熱交換器３０を通過した空気は左前板２２ａの吹き出し口２９ａ、２９ｂから外部へと吹き出される。
【００５８】
＜冷媒回路構成部品３＞
冷媒回路構成部品３は、図３および図４に示すように、熱交換器３０、圧縮機４０、レシーバ４１、四路切換弁４２、閉鎖弁３７、３８等を備えている。
【００５９】
熱交換器３０は、送風機室ＳＰ１において、室外ユニット１の左側面から背面に沿って配置されており、第１熱交換部３１と第２熱交換部３２とを有している。そして、第１熱交換部３１および第２熱交換部３２は、室外ユニット１の左側面あるいは背面側から吸い込まれた空気が通りに抜ける際に、後段にて詳述する伝熱管３１ｄ、３２ｄ（図６参照）の内部を流れる冷媒と空気との間で熱交換を行なわせる。（なお、以下において、上下方向Ｌ１とは、図２に示すように、天板２８と底板２１とを結ぶ方向という意味である。また、略水平方向Ｌ２とは、上記ユニットケーシング２の左側面と右側面とを結ぶ方向という意味である。また、前後方向Ｌ３とは、ユニットケーシング２の背面と正面とを結ぶ方向という意味である。）
【００６０】
第１熱交換部３１は、図５に示すように、上下方向Ｌ１の高さが左前板２２ａとほぼ同じ高さとなるように形成されており、ベルマウス２７ａ、２７ｂと面するように配置されている。そして、第１熱交換部３１は、図６に示すように、伝熱フィン群３１ａと、伝熱フィン群３１ａを略水平方向Ｌ２へと貫通する伝熱管列３１ｃと、を有している。
【００６１】
伝熱フィン群３１ａは、上下方向Ｌ１に延びる複数の伝熱フィン３１ｂを略水平方向Ｌ２にピッチ間隔ＦＰ１毎に並べて形成されている。また、伝熱フィン３１ｂは、図７（ａ）に示すように、前後方向Ｌ３に沿う方向の面３１ｆに複数の孔３１ｅが設けられている。そして、複数の孔３１ｅは前後方向Ｌ３に２列配置されており、各列において複数の孔３１ｅは上下方向Ｌ１の間隔がピッチ間隔ＰＰ1となるように配置されている。また、面３１ｆには、図７（ａ）に示すように、略水平方向Ｌ２へと突出する膨出部３1ｇが多数形成されている。これにより、伝熱フィン３１ｂの表面積を増加させて、第２熱交換部３２における熱交換の効率を向上させている。
【００６２】
伝熱管列３１ｃは、図６に示すように、複数の伝熱管３１ｄを上下方向Ｌ１に並べて形成されている。また、各伝熱管３１ｄは、各伝熱フィン３１ｂに形成されている孔３１ｅ（図７参照）にそれぞれ挿入されており、上下方向Ｌ１の間隔がピッチ間隔ＰＰ1となるようにそれぞれ配置されている。
【００６３】
第２熱交換部３２は、第１熱交換部３１の直上方に継ぎ足して配置されており、上部左前板２２ｂと面するように配置されている。そして、第２熱交換部３２は、伝熱フィン群３２ａと、伝熱フィン群３２ａを略水平方向Ｌ２へと貫通する伝熱管列３２ｃと、を有している。
【００６４】
伝熱フィン群３２ａは、上下方向Ｌ１に延びる複数の伝熱フィン３２ｂを略水平方向Ｌ２にピッチ間隔ＦＰ２毎に並べて形成されている。また、各伝熱フィン３２ｂには、図７（ｂ）に示すように、前後方向Ｌ３に沿う方向の面３２ｆに複数の孔３２ｅが設けられている。そして、複数の孔３２ｅは前後方向Ｌ３に２列配置されており、各列において複数の孔３２ｅは上下方向Ｌ１の間隔がピッチ間隔ＰＰ２となるようにそれぞれ配置されている。なお、面３２ｆには膨出部は設けられておらず、面３２ｆは、面３１ｆよりも平坦に形成されている。
【００６５】
ここで、第１熱交換部３１および第２熱交換部３２の配置についてより具体的に比較すると以下の通りである。
【００６６】
伝熱管３１ｄの管径Ｒ１は、伝熱管３２ｄの管径Ｒ２よりも大きくなるように形成されている。また、ピッチ間隔ＰＰ２がピッチ間隔ＰＰ1よりも大きくなるように、各伝熱管３２ｄおよび各伝熱管３１ｄはそれぞれ配置されている。さらに、ピッチ間隔ＦＰ２がピッチ間隔ＦＰ１よりも大きくなるように、各伝熱フィン３２ｂおよび各伝熱フィン３１ｂはそれぞれ配置されている。なお、上記のように、面３２ｆは、面３１ｆよりも平坦に形成されている。
【００６７】
これにより、第２熱交換部３２を背面側から正面側へと通り抜ける空気の通風抵抗を第１熱交換部３１よりも低減することができる。この結果、熱交換器３０を通り抜ける空気の上下方向Ｌ１における風速分布を均一な状態へと近づけている。
【００６８】
＜室外ユニット１の特徴＞
（１）
本実施形態の室外ユニット１は、図５に示すように、ユニットケーシング２と、ファン１１ａ、１１ｂと、熱交換器３０と、を備えている。ユニットケーシング２は、左前板２２ａと上部左前板２２ｂと右前板２２ｃ（図１参照）とによって形成された正面を有している。ファン１１ａ、１１ｂは、上記正面へと向かう空気流れを生成する。熱交換器３０は、第１熱交換部３１と、第２熱交換部３２と、を有している。第１熱交換部３１は、ファン１１ａ、１１ｂに近い位置に配置されている。第２熱交換部３２は、第１熱交換部３１の上方においてファン１１ａ、１１ｂから離れた位置に配置されている。第２熱交換部３２は、第１熱交換部３１よりも通風抵抗が小さくなるように形成されている。
【００６９】
これにより、熱交換器３０を通り抜ける空気の風速分布を均一な状態に近づけることができる。
この結果、熱交換器３０における熱交換の効率を従来よりも向上させることができる。
【００７０】
（２）
本実施形態の室外ユニット１では、図５に示すように、第２熱交換部３２は、第１熱交換部３１に継ぎ足されている。
【００７１】
ここでは、第２熱交換部３２は、第１熱交換部３１よりもファン１１ａ、１１ｂから離れた位置に配置されている。
【００７２】
そこで、本実施形態の室外ユニット１では、第２熱交換部３２の通風抵抗を第１熱交換部３１よりも小さくなるように形成している
これにより、熱交換器３０を通り抜ける空気の風速分布を均一な状態に近づけることができる。
【００７３】
この結果、熱交換器３０における熱交換の効率を向上させることができる。
【００７４】
（３）
本実施形態の室外ユニット１では、図６に示すように、第１熱交換部３１および第２熱交換部３２は、それぞれ、上下方向Ｌ１に並んで延びる複数の伝熱フィン３１ｂ、３２ｂによって形成される伝熱フィン群３１ａ、３２ａと、伝熱フィン群３１ａ、３２ａを貫通して略水平方向Ｌ２へ並んで延びる複数の伝熱管３１ｄ、３２ｄによって形成される伝熱管列３１ｃ、３２ｃと、を有している。各伝熱フィン３２ｂのピッチ間隔ＦＰ２は、各伝熱フィン３１ｂのピッチ間隔ＦＰ１よりも長くなるように配置されている。
【００７５】
これにより、第２熱交換部３２における通風抵抗を第１熱交換部３１よりも小さくして、熱交換器３０を通りぬける空気の風速を均一な状態に近づけることが可能になる。
【００７６】
（４）
本実施形態の室外ユニット１では、図６に示すように、第１熱交換部３１および第２熱交換部３２は、それぞれ、上下方向Ｌ１に並んで延びる複数の伝熱フィン３１ｂ、３２ｂによって形成される伝熱フィン群３１ａ、３２ａと、伝熱フィン群３１ａ、３２ａを貫通して略水平方向Ｌ２へ並んで延びる複数の伝熱管３１ｄ、３２ｄによって形成される伝熱管列３１ｃ、３２ｃと、を有している。各伝熱管３２ｄのピッチ間隔ＰＰ２は、各伝熱管３１ｄのピッチ間隔ＰＰ1よりも大きくなるように配置されている。
【００７７】
これにより、伝熱管３２ｄ間の間隔を、伝熱管３１ｄ間の間隔よりも大きくすることで、第２熱交換部３２の通風抵抗を第１熱交換部３１よりも小さくすることができる。
【００７８】
（５）
本実施形態の室外ユニット１では、図６に示すように、第１熱交換部３１および第２熱交換部３２は、それぞれ、上下方向Ｌ１に並んで延びる複数の伝熱フィン３１ｂ、３２ｂによって形成される伝熱フィン群３１ａ、３２ａと、伝熱フィン群３１ａ、３２ａを貫通して略水平方向Ｌ２へ並んで延びる複数の伝熱管３１ｄ、３２ｄによって形成される伝熱管列３１ｃ、３２ｃと、を有している。各伝熱管３２ｄの管径Ｒ２は、各伝熱管３１ｄの管径Ｒ１よりも小さくなるように形成されている。
【００７９】
これにより、第２熱交換部３２における通風抵抗を第１熱交換部３１よりも小さくすることができる。
【００８０】
（６）
本実施形態の室外ユニット１では、図６に示すように、第１熱交換部３１および第２熱交換部３２は、それぞれ、上下方向Ｌ１に並んで延びる複数の伝熱フィン３１ｂ、３２ｂによって形成される伝熱フィン群３１ａ、３２ａと、伝熱フィン群３１ａ、３２ａを貫通して略水平方向Ｌ２へ並んで延びる複数の伝熱管３１ｄ、３２ｄによって形成される伝熱管列３１ｃ、３２ｃと、を有している。伝熱フィン３２ｂの前後方向Ｌ３に沿う方向の面３２ｆは、伝熱フィン３１ｂの前後方向に沿う方向の面３１ｆよりも平坦に形成されている（図７参照）。
【００８１】
これにより、第２熱交換部３２における通風抵抗を第１熱交換部３１よりも小さくすることができる。
【００８２】
（７）
本実施形態の空調ユニットは、空気調和装置の室外ユニット１である。
【００８３】
これにより、熱交換器３０を通りぬける空気の風速を均一な状態に近づけることが可能になる。
【００８４】
この結果、室外ユニット１における熱交換の効率を従来よりも向上させることができる。
【００８５】
＜他の実施形態＞
以上、本発明の一実施形態について説明したが、本発明は上記実施形態に限定されるものではなく、発明の要旨を逸脱しない範囲で種々の変更が可能である。
【００８６】
（Ａ）
上記実施形態では、図６に示すように、第１熱交換部３１および第２熱交換部３２において、ピッチ間隔ＦＰ２がピッチ間隔ＦＰ１よりも大きくなるように、各伝熱フィン３２ｂおよび各伝熱フィン３１ｂが配置されている例を挙げて説明した。しかし、本発明はこれに限定されるものではない。
【００８７】
例えば、第２熱交換部３２の通風抵抗を第１熱交換部３１よりも充分小さくすることができる場合には、ピッチ間隔ＦＰ２は、ピッチ間隔ＦＰ１と同じ間隔であっても良い。また、ピッチ間隔ＦＰ２は、ピッチ間隔ＦＰ１よりも小さくても良い。
【００８８】
この場合にも、上記実施形態に係る室外ユニット１と同様の効果を得ることができる。
【００８９】
（Ｂ）
上記実施形態では、図６に示すように、第１熱交換部３１および第２熱交換部３２において、ピッチ間隔ＰＰ２がピッチ間隔ＰＰ1よりも大きくなるように、各伝熱管３２ｄおよび各伝熱管３１ｄが配置されている例を挙げて説明した。しかし、本発明はこれに限定されるものではない。
【００９０】
例えば、第２熱交換部３２の通風抵抗を第１熱交換部３１よりも充分小さくすることができる場合には、ピッチ間隔ＰＰ２は、ピッチ間隔ＰＰ1と同じ間隔であっても良い。また、ピッチ間隔ＰＰ２は、ピッチ間隔ＰＰ1よりも狭い間隔であっても良い。
【００９１】
この場合にも、上記実施形態に係る室外ユニット１と同様の効果を得ることができる。
【００９２】
（Ｃ）
上記実施形態では、図６に示すように、第１熱交換部３１および第２熱交換部３２において、管径Ｒ２が管径Ｒ１よりも小さくなるように、各伝熱管３１ｄおよび各伝熱管３２ｄがそれぞれ形成されている例を挙げて説明した。しかし、本発明はこれに限定されるものではない。
【００９３】
例えば、第２熱交換部３２の通風抵抗を第１熱交換部３１よりも充分小さくすることができる場合には、管径Ｒ２は、管径Ｒ１と同じ長さであっても良い。また、管径Ｒ２は、管径Ｒ１よりも大きくても良い。
【００９４】
この場合にも、上記実施形態に係る室外ユニット１と同様の効果を得ることができる。
【００９５】
（Ｄ）
上記実施形態では、図７に示すように、各伝熱フィン３１ｂには、膨出部３1ｇが設けられている例を挙げて説明した。しかし、本発明はこれに限定されるものではない。
【００９６】
例えば、第２熱交換部３２の通風抵抗を第１熱交換部３１よりも充分小さくすることができる場合には、各伝熱フィン３１ｂに膨出部３1ｇを設けなくても良い。
【００９７】
この場合にも、上記実施形態に係る室外ユニット１と同様の効果を得ることができる。
【００９８】
（Ｅ）
上記実施形態では、空調ユニットが空気調和装置の室外ユニット１である例を挙げて説明した。しかし、本発明はこれに限定されるものではない。
【００９９】
例えば、空調ユニットは、空気調和装置の室内ユニットであっても良い。
【０１００】
この場合にも、上記実施形態にかかる室外ユニット１と同様の効果を得ることができる。
【産業上の利用可能性】
【０１０１】
本発明の空気調和装置の室外ユニットは、熱交換器を通り抜ける空気の風速を均一な状態に近づけるという効果を奏することから、正面から空気を吹き出す空調ユニット、および空気調和装置の室外ユニットに対して広く適用可能である。
【図面の簡単な説明】
【０１０２】
【図１】本発明の一実施形態に係る空気調和装置の室外ユニットの正面側の外観を示す斜視図。
【図２】図１に示す空気調和装置の室外ユニットの背面側の外観を示す斜視図。
【図３】図１に示す空気調和装置の室外ユニットの内部構成を示す分解図。
【図４】図１に示す空気調和装置の室外ユニットにおいて、仕切り板が取り付けられた状態を示す分解図。
【図５】図１に示す空気調和装置の室外ユニットの内部構成を示す側面図。
【図６】図５に示す領域ＶＩにおける第１熱交換部および第２熱交換部を背面側から見た状態を模式的に示す図。
【図７】図６に示す第１熱交換部および第２熱交換部の伝熱フィンの側面視における形状を（ａ）および（ｂ）にそれぞれ示す図。
【符号の説明】
【０１０３】
１      室外ユニット（空気調和装置の室外ユニット）
２      ユニットケーシング
３      冷媒回路構成部品
１１ａ、１１ｂ  ファン
１２      ファンモータ台
２１      底板
２２ａ    左前板（正面部）
２２ｂ    上部左前板（正面部）
２２ｃ    右前板（正面部）
２３ａ    右側板
２３ｂ    上部右側板
２３ｃ    支持部
２４ａ    空気吸い込み口
２７ａ、２７ｂ  ベルマウス
２８      天板
２９ａ、２９ｂ  吹き出し口
３０      熱交換器
３１      第１熱交換部
３１ａ    伝熱フィン群
３１ｂ    伝熱フィン
３１ｃ    伝熱管列
３１ｄ    伝熱管
３１ｅ    孔
３１ｆ    面
３１ｇ    膨出部
３２      第２熱交換部
３２ａ    伝熱フィン群
３２ｂ    伝熱フィン
３２ｃ    伝熱管列
３２ｄ    伝熱管
３２ｅ    孔
３２ｆ    面
ＦＰ1、ＦＰ２  ピッチ間隔
Ｌ１      上下方向
Ｌ２      略水平方向
Ｌ３      前後方向
ＰＰ1、ＰＰ２  ピッチ間隔
Ｒ１、Ｒ２  管径
ＳＰ１  送風機室
ＳＰ２  機械室
【図１】
2008138939.tif 000003
【図２】
2008138939.tif 000004
【図３】
2008138939.tif 000005
【図４】
2008138939.tif 000006
【図５】
2008138939.tif 000007
【図６】
2008138939.tif 000008
【図７】
2008138939.tif 000009